(57)【特許請求の範囲】
【請求項１】
電気モータのためのマウントであって、モータを受け入れるためのスリーブを備え、前記スリーブは、前記スリーブの表面から突出する複数の要素と、前記スリーブの周りに延びる環状シールとを含み、前記環状シールは、ベローズシールであることを特徴とするマウント。
【請求項２】
前記スリーブは、第１の端部及び第２の端部を有する、請求項１に記載のマウント。
【請求項３】
前記環状シールは、前記スリーブの第１の端部に配置される、請求項２に記載のマウント。
【請求項４】
第２の環状シールを備える、請求項２又は３に記載のマウント。
【請求項５】
前記第２の環状シールは、前記スリーブの第２の端部に配置される、請求項４に記載のマウント。
【請求項６】
前記第２の環状シールはベローズシールである、請求項４又は５に記載のマウント。
【請求項７】
前記第１の環状シール及び第２の環状シールは、半円断面を有する、請求項６に記載のマウント。
【請求項８】
前記第１の環状シール及び第２の環状シールは、前記スリーブの内面に関して凹状である、請求項７に記載のマウント。
【請求項９】
前記スリーブの内面に関して、前記第１の環状シールは凹状であり、前記第２の環状シールは凸状である、請求項７に記載のマウント。
【請求項１０】
前記複数の要素は、少なくとも一列の円錐要素を含む、請求項１から９のいずれかに記載のマウント。
【請求項１１】
前記少なくとも一列の円錐要素は、環状シールに隣接して配置される、請求項１０に記載のマウント。
【請求項１２】
前記複数の要素は、前記スリーブの周りに離間された複数の軸方向リブを含む、請求項１から１１のいずれかに記載のマウント。
【請求項１３】
前記複数の要素は、前記スリーブの周りに離間された複数の圧縮リブを含む、請求項１から１２のいずれかに記載のマウント。
【請求項１４】
前記圧縮リブは、前記環状シールの全域に延びる、請求項１３に記載のマウント。
【請求項１５】
電気モータのためのマウントであって、モータを受け入れるためのスリーブを備え、前記スリーブは、前記スリーブの表面から突出する複数の要素と、前記スリーブの周りに延びる環状シールとを含み、前記複数の要素は、前記スリーブの周りに半径方向に延びるリップシールを含み、前記スリーブの半径方向外面のみに設けられる、マウント。
【請求項１６】
前記リップシールは、前記スリーブの長さに沿って略中央に配置される、請求項１５に記載のマウント。
【請求項１７】
前記スリーブの半径方向内面は平滑である、請求項１５に記載のマウント。
【請求項１８】
前記要素の少なくともいくつかは、前記スリーブの半径方向外面に設けられ、前記要素の少なくともいくつかは、前記スリーブの半径方向内面に設けられる、請求項１から１４のいずれかに記載のマウント。
【請求項１９】
前記スリーブは、ポリマー材料から形成される、請求項１から１８のいずれかに記載のマウント。
【請求項２０】
流体入口、流体出口、及び環状座部を有するケーシングと、
請求項１から１９のいずれかに記載のモータマウントと、を備え、前記モータマウントは前記環状座部によって支持されているヘアケア用電気器具。
【請求項２１】
流体入口、流体出口、及び環状座部を有するケーシングと、
前記環状座部で支持されたモータマウントと、を備え、
前記モータマウントは、モータ及びインペラを受け入れるためのスリーブを備え、前記スリーブは、前記スリーブの表面から突出する複数の要素を含み、
前記モータマウントは、前記スリーブの周りに延び、前記環状座部とシール係合状態にある環状シールをさらに備えることを特徴とするヘアケア用電気器具。
【請求項２２】
前記スリーブ内に設けられたモータを備える、請求項２０に記載の電気器具。
【請求項２３】
前記流体入口と前記流体出口との間に前記スリーブを通る流体流路が設けられる、請求項２０から２２のいずれかに記載の電気器具。
【請求項２４】
前記環状座部は、前記環状シールとシール係合するためのシール係合面を備える、請求項２０から２３のいずれかに記載の電気器具。
【請求項２５】
前記シール係合面はフランジである、請求項２４に記載の電気器具。
【請求項２６】
前記シール係合面はケーシングの半径方向に延び、前記ケーシングの内壁に対して略直交する、請求項２４又は２５に記載の電気器具。
【請求項２７】
前記ケーシングは、前記環状座部に対する前記モータマウントの角移動を阻止するための手段を備える、請求項２０から２６のいずれかに記載の電気器具。
【請求項２８】
前記モータマウントは、前記環状座部内の対応する凹部に係合する突出部を備える、請求項２７に記載の電気器具。
【請求項２９】
前記モータマウントは、前記モータマウントに対する前記ファンユニットの角移動を阻止するための手段を備える、請求項２０から２８のいずれかに記載の電気器具。
【請求項３０】
前記モータマウントは、前記ファンユニットに係合して、前記モータマウントに沿った前記ファンユニットの移動を阻止するための１つ又はそれ以上のストップ部材を備える、請求項２９に記載の電気器具。
【発明の詳細な説明】
【技術分野】
【０００１】
本発明は、モータ用マウント、好ましくは電気モータ用マウントに関する。
【背景技術】
【０００２】
電気モータは益々高性能になっており、最新のデザインでは、より高い回転速度が可能になっている。このような電気モータの１つのデザインは、手持ち式真空掃除機の範囲の用途で使用するブラシレスＤＣモータであり、１０００００ｒｐｍ付近の回転速度で駆動することができる。
【０００３】
真空掃除機、ファン、及びヘアケア用電気器具といった流体移動用途に高速モータを使用することは、物理的に小型のモータを備えたファンユニットでも非常に高速な流体流速を作り出すことができるので技術的に有望である。
【０００４】
しかしながら、全てのモータは回転する際に振動を発生し、このような高速モータにおいて、モータが発生した結果的に周辺環境に伝達される騒音を低減することは特有の技術的課題がある。このことは、ブラシレスＤＣモータに特にあてはまり、このモータは、前記モータに必須の位相励起によって高周波音を発生する傾向がある。
【発明の概要】
【０００５】
本発明は、前述の背景技術に対して考案されたものである。
【０００６】
本発明は電気モータ用マウントを提供し、このマウントは、モータを受け入れるためのスリーブを備え、スリーブは、前記スリーブの表面から突出する複数の要素と、前記スリーブの周りに延びる環状シールとを含む。
【０００７】
好ましくは、スリーブは、第１の端部及び第２の端部を有する。環状シールは、スリーブの第１の端部に配置されることが好ましい。好ましくは、環状シールはベローズシールである。
【０００８】
第２の環状シールを備えることが好ましい。好ましくは、第２の環状シールは、スリーブの第２の端部に配置される。環状シールはベローズシールであることが好ましい。
【０００９】
好ましくは、第１及び第２の環状シールは、半円断面を有する。第１及び第２の環状シールは、スリーブの内面に関して凹状であることが好ましい。もしくは、スリーブの内面に関して、第１の環状シールは凹状であり、第２の環状シールは凸状である。
【００１０】
複数の要素の各々、及び上記又は各々のベローズシールは、モータマウント内に収容されたファンユニットのための弾性支持体であり、圧縮可能である。
【００１１】
好ましくは、複数の要素は、少なくとも一列の円錐要素を含む。少なくとも一列の円錐要素は、環状シールの近くにまたは隣接して配置されることが好ましい。
【００１２】
円錐要素の各々は、使用時にモータが組み込まれる周囲のケーシング又はハウジングに対して単一点接触を規定する。モータマウントがもたらす点接触係合又は接合による取り付けで、モータからモータマウントを通って伝達される音響エネルギ及び振動が大幅に低減される。
【００１３】
要素は、別の形態をとることができ、重要な要因は、鋭い頂点、点、又は先端であり、要素は周囲のハウジングと係合するように規定される。例えば、要素又は「スタッド(stud)」は、好ましくは円錐であるが、その理由は、正確に作るには円錐スタッドが実際には最も容易であるからである。しかしながら、スタッドは、例えばピラミッド形、角柱、又は双円錐とすることができる。
【００１４】
スタッドのサイズは折衷案であり、荷重の下で、細すぎると錐体が座屈する場合があり、太すぎると錐体の頂点が錐体の本体内に押し下げられる場合がある。従って、現在のところスタッドの頂角は４０度から８０度の範囲とすることができるが、頂角は約６０度であることが好ましいと想定される。しかしながら、モータマウントを使用する技術的用途に応じて、２０度から１７０度の広範囲の頂角が有用である。
【００１５】
好ましくは、複数の要素は、スリーブの周りに離間された複数の軸方向リブを含む。
【００１６】
複数の要素は、スリーブの周りに離間された複数の圧縮リブを含むことが好ましい。好ましくは、圧縮リブは、環状シールの全域に延びる。
【００１７】
複数の要素は、スリーブの周りに半径方向に延びるリップシールを含むことが好ましい。好ましくは、リップシールは、スリーブの長さに沿って略中央に配置される。
【００１８】
好ましくは、複数の要素は、前記スリーブの半径方向外面のみに設けられる。好ましくは、スリーブの半径方向内面は平滑である。要素／スタッドがスリーブの外面のみから突出し、一方で、スリーブ内に存在するモータケーシングに均一に接触するように内面が滑らかであるように構成することで、最大の利点が得られると考えられる。しかしながら、本発明は、取り付け脚、若しくはスリーブの内面にのみ又はスリーブの外面のスタッドと組み合わせて形成された点スタッドといった特徴部を除外しない。
【００１９】
もしくは、要素の少なくともいくつかは、スリーブの半径方向外面に設けられ、要素の少なくともいくつかは、スリーブの半径方向内面に設けられる。
【００２０】
好ましくは、スリーブは、ポリマー材料から形成される。好都合な結果は、モータマウントがポリマー材料から形成される場合に得られ、現在のところ好ましい材料はウレタンゴムである。
【００２１】
また、ヘアケア用電気器具が開示され、電気器具は、流体入口、流体出口、及び環状座部を有するケーシングと、環状座部で支持されたモータマウントとを備え、モータマウントは、前記モータを受け入れるためのスリーブを備え、スリーブは、前記スリーブの表面から突出する複数の要素を含み、モータマウントは、スリーブの周りに延び、環状座部とシール係合状態にある環状シールをさらに備える。
【００２２】
好ましくは、スリーブは、第１の端部及び第２の端部を有する。環状シールは、スリーブの第１の端部に配置されることが好ましい。好ましくは、環状シールはベローズシールである。
【００２３】
第２の環状シールを備えることが好ましい。好ましくは、第２の環状シールは、スリーブの第２の端部に配置される。環状シールはベローズシールであることが好ましい。
【００２４】
好ましくは、第１及び第２の環状シールは、半円断面を有する。第１及び第２の環状シールは、スリーブの内面に対して凹状であることが好ましい。もしくは、スリーブの内面に対して、第１の環状シールは凹状であり、第２の環状シールは凸状である。
【００２５】
複数の要素の各々、及び上記又は各々のベローズシールは、モータマウント内に収容されたファンユニットのための弾性支持体であり、圧縮可能である。従って、ヘアケア用電気器具は、環状シール、及びモータマウントとモータハウジングが取り付けられるか又は支持する座部との間に配置される少なくとも１つの弾性支持体の両方を備える。モータハウジングと座部との間の環状シールを圧縮すると気密シールが形成され、空気がケーシングとモータハウジングとの間に延びる経路に沿って空気入口に向かって漏洩して再循環流を形成することを防止して、インペラが発生した加圧空気流がケーシングの空気出口に移動するようにさせる。
【００２６】
環状シールに作用する圧縮力は、好ましくは、振動が遮断されることになる表面、つまりヘアケア用電気器具のケーシングの最大剛性の方向に整列する。好ましい実施形態において、この方向はケーシングの長手方向軸線に平行である。環状シールは、好ましくは、ケーシングの内面から離間するので、振動は環状シールからケーシングに対して半径方向外向きに伝達されない。
【００２７】
モータマウントとケーシングとの間に気密シールを形成することに加えて、環状シールは、ファンユニットの使用時に減衰作用をもたらすことができるので、モータマウントから弾性支持体を経由してケーシングへの振動伝達を低減できる。
【００２８】
好ましくは、電気器具は、スリーブ内に配置されたモータを備える。好ましい実施形態において、電気器具は、スリーブ内に配置されたモータ及びインペラを含む。もしくは、インペラは、スリーブの外部に配置される。
【００２９】
流体入口と流体出口との間にスリーブを通る流体流路を設けることが好ましい。モータマウントの環状座部は、ケーシングに対する流体流路をシールして、流れがモータマウントの周りで再循環して効率が低下するのを防止する。
【００３０】
ケーシングは環状座部を含み、好ましくは、環状座部は、例えばフランジである、シール係合面を備え、好ましくは、シール係合面は、ケーシングの内壁から半径方向内向きに延び、壁に対して略直交し、環状シールとシール係合する。
【００３１】
好ましくは、ケーシングは、環状座部に対するインペラの回転軸の周りのモータマウントの角移動（角方向の動き）を阻止するための手段を備える。環状座部は、環状シールに係合して、座部に沿った環状シールの移動を阻止するための１つ又はそれ以上のストップ部材を備える。環状シールは、環状座部内の対応する凹部に係合する突出部を備えることができる。モータマウントは、前記モータマウントに対するファンユニットの角移動を阻止するための手段を備える。例えば、モータマウントは、モータマウントに沿ったファンユニットの移動を阻止するためにファンユニットに係合する１つ又はそれ以上のストップ部材を備えることができる。
【００３２】
本発明は、添付図面を参照して以下に例示的に説明される。
【図面の簡単な説明】
【００３３】
【図１】本発明によるモータマウントの等角図である。
【図２】図１に示すモータマウントの側面図である。
【図３】図１のモータマウントを通る断面図である。
【図４】図１のモータマウントを通る横断面図である。
【図５ａ】ケーシング内の図１のモータマウントの断面図である。
【図５ｂ】図５ａに示す１つのシールの拡大図である。
【図６】電気器具内のモータマウントの断面図である。
【図７】本発明による他のモータマウントの等角図である。
【図８】図７に示すモータマウントの側面図である。
【図９】図７のモータマウントを通る断面図である。
【図１０】図７のモータマウントを通る別の断面図である。
【図１１】図７のモータマウントを通る横断面図である。
【発明を実施するための形態】
【００３４】
図１から５を参照すると、モータマウント１０は、第１及び第２の開口端１４、１６を含む略円筒形のスリーブ１２を備える。第１の開口端１４及び第２の開口端１６の両方の直径は、スリーブ１２の直径と実質的に等しい。
【００３５】
スリーブ１２の形状は、図３及び４に示すチャンバ１８を画定し、その中に電気モータ及びインペラを備えるファンユニット２０が収容される。ファンユニット２０は、スリーブ１２の開口端１４、１６を通ってチャンバ１８内に収容される。好ましくは、スリーブ１２は、ポリマーのような可撓性材料であり、スリーブ１２は必要であれば引き伸ばしてファンユニット２０の外面に被せることができ、スリーブ１２の内面は、ソックスのようにファンユニット２０の周りにぴったり嵌まるようになっている。一対の環状内部フランジ２４は、スリーブの内面２２から半径方向内向きに延びる。これらのフランジ２４は、チャンバ１８の範囲を定めて、ファンユニット２０をスリーブ１２に対して所定位置に維持するようになっている。本実施形態において、ファンユニット１８の円筒形の外形にぴったり合うように内面２２は平滑であることに留意されたい。
【００３６】
図３及び４は、ファンユニットが存在しないモータマウント１０の内部を示し、図５は、本来の位置に電気ファンユニットを有するモータマウント１０を通る横断面を示す。単純化のため及びモータマウント１０の詳細を混乱させないように、電気ファンユニット２０は概略的に示されていることを理解されたい。ファンユニットは本発明概念の中心的なものではないので詳細には説明しない。
【００３７】
モータマウント１０は、ファンユニット２０の周りに嵌合して、ファンユニット２０の外側ケースと、前記ファンユニットが組み込まれる装置の内面との間の遮断接合部として機能することを目的とする。モータマウント１０の遮断特性を強化するために、スリーブ１２は、ノイズ減衰手段を備える。本実施形態において、ノイズ減衰手段は、スリーブ壁の外面３０の周りで離間した複数の突出要素３２、３４の形態である。明瞭化のためのいくつかの要素にのみ符号が付与されていることに留意されたい。
【００３８】
詳細には、直円錐として形成された第１の形式の要素はスタッド３２であり、スタッドの各々は、図３に符号が付与された頂点３６とも呼ばれる、スリーブ１２から離れる方向に向かう先鋭点を有する。従って、スタッド３２は、スリーブ１２の表面の周りに半径方向に分布する先鋭点を備え、ファンユニット及びモータマウントが組み込まれた隣接するハウジングとのインターフェースとして機能する。図５は、ケーシング又はハウジング５０に組み込まれたモータマウント１０を示し、スタッド３２がハウジングの内面５２と係合することが分かるはずである。スタッド３２の技術的原理は、ファンユニット２０からハウジング５０に伝達されるエネルギを低減するために、ファンユニット２０とハウジング５０との間の接触面積を最小化することに基づく。しかしながら、同時に、スタッド３２は、ファンユニット２０に関するしっかりした取り付けを可能にするので、例えば、ファンユニットが組み込まれた装置をユーザが落下させることで、使用時に発生する場合がある衝撃からファンユニットを保護する。この目的のために、スリーブ１２の外面３０の周りに半径方向に複数の要素が配置される。本実施形態において、チャンバ１８の各端部において１本の横列３６、３８がスリーブ１２の外面３０の周りに半径方向に配置される。
【００３９】
このファンユニットマウントに関する要素の数を選択するにあたり、マウントとこれに隣接するハウジングとの間の小さな接触面積を得るために要素の数を最小にすることと、ファンユニットを使用時の衝撃から保護するように支持するのに十分な要素を提供することとの間のバランスを取る。このことは、スタッド３２を、ファンユニット２０からの振動及びノイズを遮断するのに役立つ小さな表面積、低剛性、及び円錐形状とすることで実現するので、ファンユニットからの全体的な振動は低剛性材料で減衰させるが、製品が落下した場合、円錐形状によってケーシングの内壁５２に対して圧縮されるのでスタッド３２の剛性が高くなる。
【００４０】
第２の形式の要素は複数の圧縮リブ３４であり、スリーブ１２の外面３０の周りに半径方向に離間しており、一方がフランジ２４ａとスリーブ１２の第１の端部１４との間、他方がフランジ２４ｂとスリーブ１２の第２の端部１６との間にある２つの横列に配置される。従って、圧縮リブ３４は、ファンユニット２０が配置されているチャンバ１８に対して軸方向外部又は外側に配置される。圧縮リブ３４は、ファンユニット２０に関する軸方向の緩衝作用をもたらす。本実施形態において、圧縮リブ３４は、スリーブ１２の軸方向中央を向く頂点３６を備えた略三角形状である。
【００４１】
モータマウント１０の各端部１４、１６には環状シール４０が設けられている。多数の機能を有する環状シール４０はベローズシール４０ａ、４０ｂであり、第１の機能はケーシング５０とモータマウント１０との間のシールを提供すること、第２の機能は圧縮リブ３４を収容すること、及び第３の機能は振動を遮断することである。
【００４２】
ケーシング５０は、各々、内壁５２から半径方向内向きに延び、それぞれのベローズシール４０ａ、４０ｂとシール係合するためのシール係合表面又はフランジ６２ａ、６２ｂを含む一対の環状座部６０を備える。
【００４３】
本実施形態において、２つのベローズシール４０ａ、４０ｂは、スリーブ１２に関して反対方向に向けられている。各ベローズシールは、反対方向に向けられており、ファンユニット２０作動時のスリーブ内面２２とスリーブ外面３０との差圧を上手く利用する。ベローズシール４０ａ、４０ｂは自己付勢形シールであり、ファンユニット２０が作動する際に、各ベローズシール４０ａ、４０ｂのそれぞれのシール面４２ａ、４２ｂがフランジ６０の接触面６２ａ、６２ｂに対して押し付けられる。
【００４４】
圧縮リブ３４は、一方の列３４ａがスリーブ１２の外面３０に設けられ、他方の列３４ｂがスリーブ１２の内面２２に設けられており、これは２つのベローズシール４０ａ、４０ｂが反対方向に向けられるからであり、一方のシール４０ａはスリーブの内面２２に関して凸形であり、他方のシール４０ｂはスリーブ１２の内面２２に関して凹形である。
【００４５】
スリーブ１２の第１の端部１４及びモータマウント１０を流れる流体流路６６の上流端部におけるベローズシール４０ａは、スリーブ１２の外面３０上に圧縮リブ３４ａを有する凹形である。スリーブの第２の端部及びモータマウント１０の下流端部におけるベローズシール４０ｂは、スリーブ１２の内面２２に圧縮リブ３４ｂを有する凸形である。
【００４６】
接触面６２ａ、６２ｂは軸方向に配置された表面ではなく半径方向に配置された表面であり、振動遮断性能が向上する。接触面６２ａ、６２ｂは、本体セクション５０内に配置され、フランジ６０から形成された環状座部である。モータマウント１０上では、フランジ２４ａ、２４ｂがモータマウント１０の内面２２から半径方向内向きに延びるので、各フランジ６０の接触面６２ａ、６２ｂは、ファンユニット２０のインペラの回転軸に対して実質的に直交する。さらに、ファンユニット２０のインペラの回転軸は、ケーシング５０の長手方向軸に対して実質的に同一線上にある。
【００４７】
ベローズシール３４は、好ましくは、ケーシング５０の内径よりも小さい環状シールなので、ベローズシール３４はケーシング５０の内面５２から離間しており、圧縮された場合でも、ベローズシール４０ａ、４０ｂは、ケーシング５０の内面５２から隔離される。
【００４８】
ベローズシール３４及び突出要素３２、３４は、モータマウント２０とケーシング５０の内面５２との間に複数の弾性支持部をもたらす。弾性支持部は、モータマウント１０の周りに半径方向に、モータマウントの各端部１４、１６に又はその近傍に設けられ、方向に無関係にモータの軸方向及び半径方向の緩衝を可能にする。このことは、手に持つように設計され、手に持たれていないときに配置されるベース面を有していない電気器具であって、電気器具を落とした場合又は外からぶつけた場合にファンユニットをあらゆる方向において衝撃から保護することが必要である電気器具のためのこのタイプのモータマウントの重要な利点である。
【００４９】
図６は、モータマウントを組み込んだヘアドライヤ４５０を通る横断面図を示す。ファンユニット４５４を備えたモータマウントは、本来の位置で単一ユニットとして示される。単純化のため及びヘアドライヤ４５０の詳細を混乱させないように、ファンユニット４５４を備えたモータマウントは概略的に示されていることを理解されたい。
【００５０】
ヘアドライヤ４５０は増幅式ヘアドライヤであり、処理された流れ４５２、つまりファンユニット４５４を有するモータマウントの作用で電気器具に引き込まれ、選択的に加熱され、同伴流によって増幅又は増大される。
【００５１】
ヘアドライヤ４５０は、ハンドル５０及び本体４７０を有する。入口４６２は、本体４７０からの遠位端においてハンドル５０に設けられる。流体は、ファンユニット４５４の作用によって入口４６２に引き込まれ、ハンドル５０に沿って入口４６２から本体４７０に向かって流体流路４５２内を流れる。ハンドル内の流体流路４５２は略円形であるが、本体内で環状になる。
【００５２】
本体４７０は管状であり、本体４７０の長さ方向に沿って入口端４７０ａから出口端４７０ｂに延びる内部ダクト４７２を有する。このダクト４７２は、前記ダクト４７２内を第２の入口４９２から第２の出口４９４まで流れる同伴流体の流路４９０を規定する。本体４７０のダクト４７２及び外壁４７４は、ハンドル５０から流体流路４５２の流体出口４５６に向かって本体を通る流体流路４５２を規定する。本体４７０内には加熱器４００が配置され、加熱器は、ダクト４７２に沿ってその周りに延び、流体流路４５２を流れる流体を直接加熱する。同伴流路４９０を通って流れる流体は、加熱器４００によって間接的に加熱することができる。
【００５３】
作動時、ファンユニット４５４を備えるモータマウントは、入口４６２を通って流体を引き込み、流体は、流体流路４５２に沿って本体に至り、加熱器４００を通って流体出口４５６に至る。ヘアドライヤを通って流れ、流体出口４５６から流出するこの流体の作用により、流体が第２の入口４９２においてダクト４７２に取り込まれるか又は引き寄せられ、同伴流体流路４９０に沿って第２の出口４９４に向かって流れる。
【００５４】
本実施例において、処理された流れは、同伴流の周りに広がる環状リングとしてヘアドライヤから流出する。従って、ヘアドライヤは、両側が冷気で囲まれた加熱流体のリングを生成する。別の方法として、流体出口４５６が本体４７０内に配置され、加熱流体は流体が電気器具から流出する前に同伴流と混合する。
【００５５】
電力は、入口４６２でヘアドライヤ４５０に入るケーブル４６４からヘアドライヤに供給される。内部配線（図示せず）は加熱器４００及びファンユニット４５４を備えるモータマウントに電力を供給して、ファンユニット４５４のインペラを駆動するモータを回転させるようになっている。
【００５６】
電気器具による種々の温度及び流量を可能にするためにＰＣＢ４７６を備える。ＰＣＢ４７６は、加熱器４００及びファンユニット４５４の両方に電気接続し、ユーザが両者に供給される電力を変えることができる。１つの実施例として、ユーザは、異なる電力及び温度設定値を選択することができる。ＰＣＢ４７６は、加熱層４５４、４００の各々への電力を独立して制御し、低温設定値では、１つの加熱層だけを使用する必要がある。さらに、ファンユニット４５４の回転速度は、電気器具を通る流れを変更するために変えることができる。
【００５７】
モータによってファンユニットのインペラが回転すると振動が発生し、この振動はモータマウント１０を通ってケーシング又はハンドル５０へ伝達する。電気器具の向きに応じて、モータマウント１０とケーシングとの間に配置された環状シール４０ａ、４０ｂの少なくとも１つがモータハウジング及びファンユニット４５４の重さによって圧縮されるので、シール係合面又はフランジ６２ａ、６２ｂとシール係合した状態になる。従って、環状シール４０ａ、４０ｂは、主空気流がケーシング５０の内面５２とモータマウント１０の外面３０との間に広がる経路を移動するのを防止するだけでなく、フランジ６２ａ、６２ｂ、つまりヘアドライヤ４５０のケーシング又はハンドル５０に伝達する振動を低減する。モータマウント１０とケーシング５０との間に存在する複数の要素３４、３６は、モータマウント１０のスリーブ１２を経由してケーシングの内壁５２への振動伝達を阻止する。複数の要素３４、３６の可撓性によって、これらの要素はケーシング５０に対して軸方向及び半径方向の両方向に曲がることができるので、ファンユニットからの振動伝達が低減される。
【００５８】
図７から図１１に関連して以下に他のモータマウントを説明する。前述の実施形態と共通の特徴部には同じ参照符号が用いられている。モータマウント１００は、ファンユニット２０をケーシング５０から隔離すると共に、フランジ２４ａ、２４ｂに対して及びモータマウント１００が収容されるように設計されたケーシング５０の内面５２に対してファンユニット２０を支持する、突出要素３２、１３４、１４０、１５０の別の構成を含む。
【００５９】
第１の形式の突出要素３２は、前述のチャンバ１８の各端部に配置されたものと実質的に同じである。
【００６０】
本実施形態において、ベローズシール４０ａ、４０ｃの両方は、スリーブに対して同じ方法で方向付けされている。上流及び下流のそれぞれのベローズ４０ａ及び４０ｃは凹形であり、圧縮リブ１３４はスリーブ１２の外面３０上に設けられている。下流圧縮リブ４０ｃに関して、シール面は４２ｃであり、このシール面は、ファンユニット２０がケーシング５０内で作動する場合にケーシング５０のフランジ６０の接触面６２ｂに押し付けられる。
【００６１】
第２の形式の突出要素１３４は、丸くなった側面１３６がベローズシール４０ａ、４０ｃの外面と接触状態の半円外形の圧縮リブである。
【００６２】
第３の形式の突出要素は、スリーブ１２の外面３０の周りに延びる一連の軸方向リブ１４０である。これらの軸方向リブ１４０は、特に、例えば電気器具が落下することで電気器具への衝撃が生じた場合に備えてモータマウント１００の構造体を補強する。
【００６３】
第４の形式の突出要素は、スリーブ１２の周りの延在するリップシール１５０である。リップシールは比較的広い面積でハウジングに接触するが、リップシールは、圧縮機とハウジングとの間にシールをもたらすことだけが意図されており、圧縮機の半径方向の振動を吸収することは意図されていない。結果的に、リップシールは、シールが圧縮機の半径方向振動に関する比較的劣った伝達経路をもたらすように構成することができる。特に、シールの半径方向コンプライアンスは、スタッド又はリブのコンプライアンスよりも大きなものとすることができる。結果的に、ハウジングに対する圧縮機の半径方向振動は、リップシールではなくスタッド又はリブによって対抗される。
【００６４】
本実施例において、リップシール１５０は、スリーブ１２の全長のほぼ中央に配置されるが、リップシールは、圧縮リブ１３４、及びベローズシール４０ａ、４０ｃの機能を妨げない限りにおいてスリーブ１２の長さに沿った任意の場所に配置できる。
【００６５】
前述のように、モータマウントはポリマー材料であることが好ましい。本実施形態ではウレタンゴムを使用する。
【００６６】
モータマウント１０、１００は、ケーシング内でのモータ及び／又はモータマウントの回転を防止するための回転防止要素を含むことができる。
【００６７】
図３を参照すると、モータマウント１０は、モータマウント１０の内部フランジ２４ｂから突出する突出特徴部７０を含む。突出特徴部７０は、モータ又はファンユニットが配置されるチャンバ１８内に突出して、モータ／ファンユニット上の対応する特徴部と係合してその相対回転を防止するようになっている。
【００６８】
図７から図１０を参照すると、モータマウント１００は、モータマウント１００の上流ベローズシール４０ｃから上向きに突出する一対の突出特徴部７２を含む。一対の突出特徴部７２は、モータマウント１００から外向きに突出し、上流フランジ又はシール係合面６２ｂ内に配置された対応する特徴部と係合してケーシング５０内でのモータマウント１００の相対回転を防止するようになっている。
【００６９】
前記では例示した図面の特定の実施形態に対していくつかの変形例を説明した。他の変形例を以下に説明する。
【００７０】
図示の特定の実施形態において、ファンユニット２０は、流体移動手段として機能するモータ及びインペラを備え、空気流は矢印で示し、モータ及びインペラは共にモータマウント内に収容される。この構成は、真空掃除機、ヘアドライヤ及び温風整髪ブラシ等のヘアケア用電気器具、及びファンといった高速空気流を必要とする装置に対して特定の用途を有することができる。しかしながら、特定の実施形態は単に例示目的であり、モータマウントはモータだけを収容してインペラはその外部に配置することができ、マウントとしてのモータマウント１０の用語を使用することは、モータがインペラに連結するか否かに関わらず、モータを形状が一致したハウジングに組み込むことを必要とする何らかの装置に適用できることを理解されたい。
【００７１】
現在のところ円筒形スリーブが好ましく、その理由は対応して形作られたモータの外面を保護及び隔離材料の連続した「ソックス」で囲むように機能するからである。しかしながら、スリーブが部分円筒形でモータの外面全体を囲まない場合でも利点が得られることが想定される。
【００７２】
モータマウントの外面は複数の先鋭のスタッドを備えるが、本実施形態において、モータマウントの内面は滑らかである。スリーブの内面の平滑性への言及は、表面粗さの厳密な値を意図しているのではなく、内面は、モータの外部ケースの外周と均一に接触するように実質的に表面欠陥／隆起及び突出部が無いことが必要である。理論に縛られるものではないが、スリーブの内面の平滑性はモータとスリーブとの間の良好な音響的接触を促進することが分かっている。
【００７３】
前述の特定の実施形態において、スリーブは円筒形である。しかしながら、このことは本発明では本質的なことではなく、その代わりに、スリーブは他の断面形状を有することができることを理解されたい。ここでは、スリーブは、モータケーシングの外面に一致する必要があるので、モータケーシングの円筒形状に適合するように円筒形である。従って、それによって、スリーブは、モータの外側ケーシングに適合する何らかの形状とすることができるが、円筒形のモータケーシングが最も一般的ということになる。
【００７４】
特定の実施形態で説明した環状シールはベローズシールであったが、当業者には、環帯をシールすると共に可逆的に圧縮可能な任意の構成を適用できることが明らかである。
【符号の説明】
【００７５】
３２  突出要素
７２  突出特徴部
１００  モータマウント
１３４  圧縮リブ
【図１】
0005913465.tif 000002
【図２】
0005913465.tif 000003
【図３】
0005913465.tif 000004
【図４】
0005913465.tif 000005
【図５ａ】
0005913465.tif 000006
【図５ｂ】
0005913465.tif 000007
【図６】
0005913465.tif 000008
【図７】
0005913465.tif 000009
【図８】
0005913465.tif 000010
【図９】
0005913465.tif 000011
【図１０】
0005913465.tif 000012
【図１１】
0005913465.tif 000013